(57)【要約】【課題】規制ガイドによるシートの規制機能を損なうことなく、装置の小型化を実現することができるシート給送装置を提供する。【解決手段】シート給送装置は、積載されたシートの幅方向の両側部の位置を規制する一対の規制ガイド３００を備え、規制ガイド３００は、シートの幅方向に移動するベース部材３０１と、該ベース部材３０１に対して起立した状態で配置されて、シートの幅方向の側部の位置を規制する規制部材３０２と、を備え、該規制部材３０２は、前記起立した状態からシートの幅方向の内側に傾動可能に配置される。【選択図】図２
2010222132.tif 000002
【特許請求の範囲】
【請求項１】
積載されたシートの幅方向の両側部の位置を規制する一対の規制ガイドを備えるシート給送装置であって、
前記規制ガイドは、シートの幅方向に移動するベース部材と、該ベース部材に対して起立した状態で配置されて、シートの幅方向の側部の位置を規制する規制部材と、を備え、
該規制部材は、前記起立した状態からシートの幅方向の内側に傾動可能に配置される、  ことを特徴とするシート給送装置。
【請求項２】
前記規制部材の前記起立した状態からシートの幅方向の外側への傾動を規制する規制手段を備える
ことを特徴とする請求項１に記載のシート給送装置。
【請求項３】
前記規制部材は、前記起立した状態から前記ベース部材のシートの積載面と略一致するまで傾動可能に配置される、
ことを特徴とする請求項１又は２に記載のシート給送装置。
【請求項４】
前記一対の規制ガイドは、装置本体に対して開閉可能に支持された給紙トレイに配置される、
ことを特徴とする請求項１〜３のいずれか一項に記載のシート給送装置。
【請求項５】
前記一対の規制ガイドは、装置本体の給紙口の上流側に配置され、
前記装置本体に対して開閉可能に支持され、閉じた状態で前記一対の規制ガイド及び前記給紙口を覆う給紙トレイを備える
ことを特徴とする請求項１〜３のいずれか一項に記載のシート給送装置。
【請求項６】
シート給送装置により搬送路に給送されたシートの画像を読み取る画像読取装置であって、
前記シート給送装置として、請求項１〜５のいずれか一項に記載のシート給送装置を用いる、
ことを特徴とする画像読取装置。
【発明の詳細な説明】
【技術分野】
【０００１】
本発明は、例えば、スキャナ、ファクシミリ、複写機等の画像読取装置やプリンタ等の画像形成装置に用いられるシート給送装置、及び該シート給送装置を備える画像読取装置に関する。
【背景技術】
【０００２】
従来のこの種のシート給送装置を備える画像読取装置として、例えば図８に示すものがある。
【０００３】
この画像読取装置は、原稿（シート）を積載する給紙トレイ２が装置本体１Ａに対してヒンジ部２ａを介して開閉可能に支持されている。給紙トレイ２は、閉じた状態で原稿の給紙口を覆い、矢印Ａ方向に開いた状態で積載面２ｂに原稿がセットされる。
【０００４】
給紙トレイ２の積載面２ｂには、給送時の原稿の斜行や蛇行を防止すべく、積載された原稿の幅方向の両側部の位置を規制する一対の規制ガイド３が配置されている。
【０００５】
規制ガイド３は、図９に示すように、ベース部３１ａ、及び該ベース部３１ａから略直角方向に起立するガイド壁部３１ｃからなる断面Ｌ字形状のガイド部材３１を備える。
【０００６】
ベース部３１ａからは原稿の幅方向内側にラック部３１ｂが延設され、一対の規制ガイド３の各ラック部３１ｂはピニオン１２により連結される。
【０００７】
これにより、一対の規制ガイド３の各ガイド部材３１が原稿のサイズに応じて原稿の幅方向に沿って移動可能とされ、また、ガイド壁部３１ｃにより原稿の幅方向の側部の位置が規制される（特許文献１）。
【０００８】
また、装置本体の給紙口の上流側に一対の規制ガイドを配置し、装置本体に対して開閉可能に支持された給紙トレイを閉じた状態で該給紙トレイによって一対の規制ガイド及び給紙口を覆うようにしたシート給送装置が提案されている（特許文献２）。
【先行技術文献】
【特許文献】
【０００９】
【特許文献１】特開２００６−１１０８３１号公報
【特許文献２】特開平０６−３２１３７５号公報
【発明の概要】
【発明が解決しようとする課題】
【００１０】
しかし、上記特許文献１及び２のいずれも、給紙トレイを閉じた際に、装置全体の高さに対する規制ガイド３のガイド壁部３１ｃの起立高さの割合が大きく、装置の小型化を妨げる要因となっている。
【００１１】
この場合、ガイド壁部３１ａの起立高さを低くすることで、装置の小型化が可能となるが、原稿の積載量が減ったり、規制ガイドによる原稿の規制機能が損なわれたりする等の問題が生じる。
【００１２】
そこで、本発明は、規制ガイドによるシートの規制機能を損なうことなく、装置の小型化を実現することができるシート給送装置、及び画像読取装置を提供することを目的とする。
【課題を解決するための手段】
【００１３】
上記目的を達成するために、本発明のシート給送装置は、積載されたシートの幅方向の両側部の位置を規制する一対の規制ガイドを備えるシート給送装置であって、前記規制ガイドは、シートの幅方向に移動するベース部材と、該ベース部材に対して起立した状態で配置されて、シートの幅方向の側部の位置を規制する規制部材と、を備え、該規制部材は、前記起立した状態からシートの幅方向の内側に傾動可能に配置される、ことを特徴とする。
【００１４】
本発明の画像読取装置は、シート給送装置により搬送路に給送されたシートの画像を読み取る画像読取装置であって、前記シート給送装置として、請求項１〜５のいずれか一項に記載のシート給送装置を用いる、ことを特徴とする。
【発明の効果】
【００１５】
本発明によれば、規制ガイドによるシートの規制機能を損なうことなく、装置の小型化を実現することができる。
【図面の簡単な説明】
【００１６】
【図１】本発明の実施形態の一例であるシート給送装置を備える画像読取装置を説明するための概略断面図である。
【図２】図１に示す画像読取装置の斜視図である。
【図３】規制ガイドを説明するための分解斜視図である。
【図４】ベース部材に対して規制部材を起立させた状態を示す斜視図である。
【図５】ベース部材の開口部に規制部材を収納した状態を示す斜視図である。
【図６】ストッパの変形例を示す断面図である。
【図７】本発明の他の実施形態であるシート給送装置を備える画像読取装置を説明するための概略斜視図である。
【図８】従来のシート給送装置を備える画像読取装置を説明するための概略断面図である。
【図９】従来の規制ガイドを説明するための斜視図である。
【発明を実施するための形態】
【００１７】
以下、本発明の実施形態の一例を図面を参照して説明する。
【００１８】
図１は本発明の実施形態の一例であるシート給送装置を備える画像読取装置を説明するための概略断面図、図２は図１に示す画像読取装置の斜視図である。
【００１９】
図１及び図２に示すように、本実施形態の画像読取装置１では、原稿（シート）を積載する給紙トレイ２が装置本体１Ａに対してヒンジ部２ａを介して開閉可能に支持されている。給紙トレイ２は、閉じた状態で原稿の給紙口１３を覆い、開いた状態（図１及び図２の状態）で積載面２ｂに原稿が積載される。給紙トレイ２の積載面２ｂには、給送時の原稿の斜行や蛇行を防止すべく、積載された原稿の幅方向の両側部の位置を規制する一対の規制ガイド３００が配置されている。
【００２０】
そして、給紙トレイ２に積載された複数枚の原稿は、フィードローラ４とリタードローラ５とによって最も下の原稿から１枚ずつ搬送路に分離給送され、搬送路に給送された原稿は、搬送ローラ対６により下流側に搬送される。搬送路を下流側に搬送される原稿は、読取センサ８，９により表裏両面の画像が読み取られ、その後、搬送ローラ対７により装置外に排紙される。
【００２１】
次に、図３〜図５を参照して、規制ガイド３００について説明する。なお、一対の規制ガイド３００は、共に同一構成であるため、ここでは、一方の規制ガイド３００についてのみ説明する。
【００２２】
図３に示すように、規制ガイド３００は、ベース部材３０１及び規制部材３０２を備える。
【００２３】
規制部材３０２は、給紙トレイ２に積載された原稿の幅方向の側部の位置を規制するためのものであり、原稿の搬送方向に長い略矩形状をなして、長手方向の両側部の下側には、それぞれ軸３０２ａが突設されている。
【００２４】
規制部材３０２の下側部における、軸３０２ａの近傍位置には、スリット３０２ｂが形成されており、これにより、例えば樹脂等で形成された規制部材３０２の軸３０２ａに近い部分が軸３０２ａと一体にスリット３０２ｂ側に弾性変形可能とされている。
【００２５】
ベース部材３０１は、原稿が積載される積載面３０１ａを有しており、該積載面３０１ａには、規制部材３０２の形状に対応する開口部３０１ｂが形成されている。開口部３０１ｂの内壁部の前記軸３０２ａに対応する部位には、軸３０２ａを支持する軸支持部３０１ｄが形成されている。
【００２６】
規制部材３０２の軸３０２ａをスリット３０２ｂ側に弾性変形させてベース部材３０１の軸支持部３０１ｄに嵌め込むことにより、ベース部材３０１に対して規制部材３０２が原稿の幅方向内側に向かって傾動可能に支持される。
【００２７】
また、ベース部材３０１には、原稿の幅方向内側位置にラック部３０１ｃが延設され、一対の規制ガイド３００の各ラック部３０１ｃは、不図示のピニオンにより連結される。これにより、一対の規制ガイド３００の各ベース部材３０１が原稿のサイズに応じて原稿の幅方向に沿って移動可能とされる。
【００２８】
図４は、規制部材３０２をベース部材３０１に装着した状態で、原稿の幅方向側部の位置規制が行えるように、規制部材３０２をベース部材３０１に対して略直角方向に起立させた状態を示す斜視図である。
【００２９】
この状態で、規制部材３０２に形成されたストッパ３０２ｃがベース部材３０１の積載面３０１ａに当接することにより、規制部材３０２の原稿の幅方向外側への傾動を規制することができる。
【００３０】
なお、規制部材３０２の原稿の幅方向外側への傾動を規制するストッパの位置や形状は特に限定されず、例えば、図６に示すように、規制部材３０２が当接するストッパ３０１ｆをベース部材３０１側に設けてもよい。
【００３１】
図５は、ベース部材３０１に対して、規制部材３０２を起立した状態から原稿の幅方向内側に傾動させて、ベース部材３０１の開口部３０１ｂに収納した状態を示す斜視図である。規制部材３０２がベース部材３０１の開口部３０１ｂに収納された状態では、規制部材３０２の面は、ベース部材３０１の積載面３０１ａと略一致するようになっている。
【００３２】
なお、ベース部材３０１の開口部３０１ｂの周縁に指掛け用の切欠き部３０１ｅを形成することにより、規制部材３０２を開く際の操作が容易となる。また、規制部材３０２に形成されたストッパ３０２ｃに指を掛けて、規制部材３０２を開くようにしてもよい。
【００３３】
以上説明したように、本実施形態では、給紙トレイ２に配置された規制ガイド３００のベース部材３０１に対して規制部材３０２を起立した状態から原稿の幅方向の内側に向けて傾動可能に配置している。また、規制部材３０２を傾動させて、ベース部材３０１の開口部３０１ｂに収納した状態では、規制部材３０２は、ベース部材３０１の積載面３０１ａと略同一面に納まるようにしている。
【００３４】
これにより、給紙トレイ２を閉じた際に、画像読取装置１全体の高さに対して起立高さの割合が比較的大きい規制部材３０２を設けたことの影響を殆どなくすことができる。この結果、規制部材３０２の起立高さを低くする等の原稿の規制機能を損なう構造上の制限を不要としつつ、画像読取装置１の小型化を実現することができる。
【００３５】
なお、本発明の構成は、上記実施形態に例示したものに限定されるものではなく、材質、形状、寸法、形態、数、配置箇所等は、本発明の要旨を逸脱しない範囲において適宜変更可能である。
【００３６】
例えば、上記実施形態では、装置本体１Ａに対して開閉可能に支持された給紙トレイ２に一対の規制ガイド３００を配置した場合を例示したが、これに限定されない。
【００３７】
例えば、図７に示すように、装置本体１Ａの給紙口１３上流側の積載面１４に一対の規制ガイド３００を配置してもよい。この場合も上記実施形態と同様に、規制部材３０２を原稿の幅方向内側に傾動させて、ベース部材３０１の開口部３０１ｂに収納する。
【００３８】
そして、この状態で、装置本体１Ａに対して開閉可能に支持された給紙トレイ１５を閉じて一対の規制ガイド３００及び給紙口１３を覆うことで、上記実施形態と同様の作用効果を得ることができる。
【符号の説明】
【００３９】
１  画像読取装置
１Ａ  装置本体
２  給紙トレイ
１３  給紙口
１５  給紙トレイ
３００  規制ガイド
３０１  ベース部材
３０１ｂ  開口部
３０１ｃ  ラック部
３０１ｄ  軸支持部
３０１ｅ  切欠き部
３０２  規制部材
３０２ａ  軸
３０２ｂ  スリット
３０２ｃ  ストッパ
【図１】
2010222132.tif 000003
【図２】
2010222132.tif 000004
【図３】
2010222132.tif 000005
【図４】
2010222132.tif 000006
【図５】
2010222132.tif 000007
【図６】
2010222132.tif 000008
【図７】
2010222132.tif 000009
【図８】
2010222132.tif 000010
【図９】
2010222132.tif 000011